(57)【要約】【課題】各ネットワークノードの処理負荷を軽減し、また、ユーザが発信操作を行ってからＵ-ｐｌａｎｅ導通までの接続時間を低減する。【解決手段】本発明に係る移動通信方法は、ネットワークノード２００、３００が、移動局１００に対して、該移動局の待ち受け対象の無線アクセス方式において提供されている通信サービスを通知する工程と、移動局１００が、ネットワークノード２００、３００によって通知された前記通信サービスを保存する工程と、移動局１００が、保存している前記通信サービスに基づいて接続手順を開始する工程とを有する。【選択図】  図６
2011066945.tif 000002
【特許請求の範囲】
【請求項１】
複数の無線アクセス方式が存在する移動通信システムにおける移動通信方法であって、
ネットワークノードが、移動局に対して、待ち受け対象の無線アクセス方式において提供されている通信サービスを通知する工程と、
前記移動局が、前記ネットワークノードによって通知された前記待ち受け対象の無線アクセス方式において提供されている通信サービスを保存する工程と、
前記移動局が、保存している前記待ち受け対象の無線アクセス方式において提供されている通信サービスに基づいて、接続手順を開始する工程とを有することを特徴とする移動通信方法。
【発明の詳細な説明】
【技術分野】
【０００１】
本発明は、移動通信方法、移動交換局、無線基地局及び移動局に関する。
【背景技術】
【０００２】
従来の移動通信システムでは、回線交換（ＣＳ：Ｃｉｒｃｕｉｔ  Ｓｗｉｔｃｈｉｎｇ）で遅延要求の厳しい音声通信やＴＶ電話等を提供し、パケット交換（ＰＳ：Ｐａｃｋｅｔ  Ｓｗｉｔｃｈｉｎｇ）で遅延要求の厳しくないデータ通信等を提供していた。
【０００３】
一方、移動通信システムに、新規の無線アクセス方式（ＲＡＴ：Ｒａｄｉｏ  Ａｃｃｅｓｓ  Ｔｅｃｈｎｏｌｏｇｙ）を導入する場合は、当該移動通信システムの安定性を第１と考え、初期導入時は、あらゆる通信サービスを提供するのではなく、提供する通信サービスを限定するのが一般的である。
【０００４】
例えば、ＲＡＴとして、ＵＭＴＳ（Ｕｎｉｖｅｒｓａｌ  Ｍｏｂｉｌｅ  Ｔｅｒｒｅｓｔｒｉａｌ  Ｓｙｓｔｅｍ）方式を用いることによって通信サービスが提供されているエリアに、新規ＲＡＴとして、ＵＭＴＳ方式よりも高効率で高速な通信を可能とするＬＴＥ（Ｌｏｎｇ  Ｔｅｒｍ  Ｅｖｏｌｕｔｉｏｎ）方式を導入する場合には、ＬＴＥ方式は、ＰＳのみの移動通信システムであるため、初期導入時は、提供する通信サービスを、データ通信に限定し、当該移動通信システムの動作が安定した後に、音声通信のような遅延要求の厳しい通信サービスを提供するという導入シナリオが考えられる（非特許文献１参照）。
【０００５】
次に、図７を参照して、上述のＬＴＥ方式の初期導入時における通信サービスの提供方法の一例を示す。
【０００６】
ここで、ＵＭＴＳ方式において待ち受けを行っている移動局は、例えば、ＵＭＴＳ方式において、図７に示す手順を行った後、ＬＴＥ方式へ遷移し、ＬＴＥ方式で、データ通信を開始する必要がある。
【０００７】
これは、ＵＭＴＳ方式に比べて、ＬＴＥ方式の方が、高効率で高速な通信を行うことが可能であるためである。以下、図７を参照して、かかる通信サービスの提供方法の具体例について説明する。
【０００８】
図７に示すように、ステップ１において、移動局は、無線制御装置に対して、ＲＲＣコネクションの設定要求を行うための「ＲＲＣ  Ｃｏｎｎｅｃｔｉｏｎ  Ｒｅｑｕｅｓｔ」を送信する。
【０００９】
ステップ２において、無線制御装置は、無線基地局に対して、無線リンクの設定要求を行うための「Ｒａｄｉｏ  Ｌｉｎｋ  Ｓｅｔｕｐ  Ｒｅｑｕｅｓｔ」を送信する。
【００１０】
ステップ３において、無線基地局は、「Ｒａｄｉｏ  Ｌｉｎｋ  Ｓｅｔｕｐ  Ｒｅｑｕｅｓｔ」に応じて、無線リンクの設定を行い、無線制御装置に対して、無線リンクの設定完了を報告するための「Ｒａｄｉｏ  Ｌｉｎｋ  Ｓｅｔｕｐ  Ｒｅｓｐｏｎｓｅ」を送信する。
【００１１】
ステップ４において、無線制御装置は、移動局に対して、ＲＲＣコネクションの設定を行うための「ＲＲＣ  Ｃｏｎｎｅｃｔｉｏｎ  Ｓｅｔｕｐ」を送信する。
【００１２】
ステップ５において、移動局は、「ＲＲＣ  Ｃｏｎｎｅｃｔｉｏｎ  Ｓｅｔｕｐ」に応じて、ＲＲＣコネクションの設定を行い、無線制御装置に対して、ＲＲＣコネクションの設定完了を報告するための「ＲＲＣ  Ｃｏｎｎｅｃｔｉｏｎ  Ｓｅｔｕｐ  Ｃｏｍｐｌｅｔｅ」送信する。
【００１３】
ステップ６において、移動局は、無線制御装置を介して、移動交換局に対して、「Ｓｅｒｖｉｃｅ  Ｒｅｑｕｅｓｔ」を送信する。
【００１４】
ステップ７において、無線制御装置は、移動局から受信した「Ｓｅｒｖｉｃｅ  Ｒｅｑｕｅｓｔ」を移動交換局に送信する。
【００１５】
ステップ８において、移動交換局は、無線制御装置に対して、「Ｓｅｃｕｒｉｔｙ  Ｍｏｄｅ  Ｃｏｍｍａｎｄ」を送信し、セキュリティ関連の設定を行う。
【００１６】
ステップ９において、無線制御装置は、移動局に対して、「Ｓｅｃｕｒｉｔｙ  Ｍｏｄｅ  Ｃｏｍｍａｎｄ」を送信し、セキュリティ関連の設定を行う。
【００１７】
ステップ１０において、移動局は、無線制御装置に対して、セキュリティ関連のパラメータの設定及び設定完了を通知するための「Ｓｅｃｕｒｉｔｙ  Ｍｏｄｅ  Ｃｏｍｐｌｅｔｅ」を送信する。
【００１８】
ステップ１１において、無線制御装置は、移動交換局に対して、セキュリティ関連のパラメータの設定完了を通知するための「Ｓｅｃｕｒｉｔｙ  Ｍｏｄｅ  Ｃｏｍｐｌｅｔｅ」を送信通知する。
【００１９】
ステップ１２において、移動局は、無線制御装置を介して移動交換局に対して、ＰＤＰコンテキストの設定要求を行うための「Ａｃｔｉｖｅ  ＰＤＰ  Ｃｏｎｔｅｘｔ  Ｒｅｑｕｅｓｔ」を送信する。
【００２０】
ステップ１３において、無線制御装置は、移動局から受信した「Ａｃｔｉｖｅ  ＰＤＰ  Ｃｏｎｔｅｘｔ  Ｒｅｑｕｅｓｔ」を移動交換局へ送信する。
【００２１】
ステップ１４において、移動交換局は、無線制御装置に対して、無線アクセスベアラ（ＲＡＢ：Ｒａｄｉｏ  Ａｃｃｅｓｓ  Ｂｅａｒｅｒ）の設定要求を行うための「ＲＡＢ  Ａｓｓｉｇｎｍｅｎｔ  Ｒｅｑｕｅｓｔ」を送信する。
【００２２】
ステップ１５において、無線制御装置は、受信した「ＲＡＢ  Ａｓｓｉｇｎｍｅｎｔ  Ｒｅｑｕｅｓｔ」によって設定要求されたＲＡＢ情報より、ＬＴＥ方式へのＩｎｔｅｒ-ＲＡＴハンドオーバを実施するか否かについて判断する。
【００２３】
ステップＳ１６において、ＬＴＥ方式へのＩｎｔｅｒ-ＲＡＴハンドオーバを実施すべきであると判断された場合、無線制御装置は、設定要求したＲＡＢを設定しないことを報告するために移動交換局に対して、「ＲＡＢ  Ａｓｓｉｇｎｍｅｎｔ  Ｒｅｓｐｏｎｓｅ」を送信する。
【００２４】
また、ステップ１７において、ＬＴＥ方式へのＩｎｔｅｒ-ＲＡＴハンドオーバを実施すべきであると判断された場合、無線制御装置は、移動交換局に対して、ＬＴＥ方式に対するＩｎｔｅｒ-ＲＡＴハンドオーバを行うように要求するための「Ｒｅｌｏｃａｔｉｏｎ  Ｒｅｑｕｉｒｅｄ」を送信する。
【００２５】
ステップ１８において、移動交換局は、無線制御装置に対して、ＬＴＥ方式に対するＩｎｔｅｒ-ＲＡＴハンドオーバを行うように指示するための「Ｒｅｌｏｃａｔｉｏｎ  Ｃｏｍｍａｎｄ」を送信する。
【００２６】
ステップ１９において、無線制御装置は、移動局に対して、ＬＴＥ方式に対するＩｎｔｅｒ-ＲＡＴハンドオーバを行うように指示するための「Ｈａｎｄｏｖｅｒ  ｆｒｏｍ  ＵＴＲＡＮ  Ｃｏｍｍａｎｄ」を送信する。
【００２７】
ステップ２０において、移動局の接続対象の無線アクセス方式を、ＬＴＥ方式に変更し、移動局は、ＬＴＥ方式において、データ通信を開始する。
【００２８】
一方、ＬＴＥ方式において待ち受けを行っている移動局が、音声通信の開始を要求する場合、ＬＴＥ方式では音声通信サービス用ベアラを提供していないため、ＬＴＥ方式の呼設定手順における音声サービス用ベアラを設定する段階で、移動局に対して、ＵＭＴＳ方式へＩｎｔｅｒ-ＲＡＴハンドオーバを行うように指示し、かかる移動局は、ＵＭＴＳ方式で音声通信を開始する必要がある。
【先行技術文献】
【非特許文献】
【００２９】
【非特許文献１】３ＧＰＰ  ＴＲ２５.９１３  Ｖ７.３.０、「Ｔｅｃｈｎｉｃａｌ  ｓｐｅｃｉｆｉｃａｔｉｏｎ  ｇｒｏｕｐ  ｒａｄｉｏ  ａｃｃｅｓｓ  ｎｅｔｗｏｒｋ；  Ｒｅｑｕｉｒｅｍｅｎｔ  ｆｏｒ  Ｅｖｏｌｖｅｄ  ＵＴＲＡ（Ｅ-ＵＴＲＡ）  Ｒｅｌｅａｓｅ  ７，  ５」
【発明の概要】
【発明が解決しようとする課題】
【００３０】
しかしながら、上述した従来の移動通信システムでは、以下のような問題点があった。
【００３１】
すなわち、従来の移動通信システムでは、移動局が待ち受けを行っているＲＡＴにおいて、移動局が要求する通信サービスが提供されていない場合、若しくは、より効率良く通信サービスを提供可能なＲＡＴが他に存在する場合、移動局は、接続設定手順をかなり進めた後（図７の例では、ステップ１８まで進めた後）に、他のＲＡＴにハンドオーバするように指示されるため、各ＲＡＴにおけるアクセスノードの処理負荷が増大し、また、ユーザが発信操作を行ってからＵｓｅｒ-ｐｌａｎｅ（Ｕ-ｐｌａｎｅ）が導通するまでの接続遅延が増大するという問題点があった。
【００３２】
そこで、本発明は、上述の課題に鑑みてなされたものであり、移動局が要求する通信サービスに基づいて、当該通信サービスの提供に適切なＲＡＴのセルを自律的に選択することで、各ネットワークノードの処理負荷を軽減し、また、ユーザが発信操作を行ってからＵ-ｐｌａｎｅ導通までの接続時間を低減することができる移動通信方法、移動交換局、無線基地局及び移動局を提供することを目的とする。
【課題を解決するための手段】
【００３３】
本発明の第１の特徴は、複数の無線アクセス方式が存在する移動通信システムにおける移動通信方法であって、ネットワークノードが、前記移動局に対して、各無線アクセス方式において提供されている通信サービス及び該通信サービスの優先度の少なくとも一方を通知する工程と、前記移動局が、前記ネットワークノードによって通知された前記各無線アクセス方式において提供されている通信サービス及び該通信サービスの優先度の少なくとも一方を保存する工程と、前記移動局が、保存している前記各無線アクセス方式において提供されている通信サービス及び該通信サービスの優先度の少なくとも一方に基づいて、接続手順を開始するセルを決定する工程と、前記移動局が、決定した前記セルとの間で接続手順を開始する工程とを有することを要旨とする。
【００３４】
本発明の第２の特徴は、複数の無線アクセス方式が存在する移動通信システムで用いられる移動交換局であって、各無線アクセス方式において提供されている通信サービス及び該通信サービスの優先度の少なくとも一方を管理するように構成されている提供サービス管理部と、前記提供サービス管理部によって管理されている前記各無線アクセス方式と前記通信サービス及び該通信サービスの優先度の少なくとも一方との関係を、移動局に対して通知するように構成されている提供サービス通知部とを具備することを要旨とする。
【００３５】
本発明の第２の特徴において、前記通信サービスは、該通信サービスを識別するサービス識別子、該通信サービス用の接続先アドレス、該通信サービスのサービス品質情報、該通信サービスの優先度クラスを示すラベル、或いは、該通信サービス用のベアラを識別するベアラ識別子のいずれかによって特定されもよい。
【００３６】
本発明の第２の特徴において、前記通信サービスの優先度として、該通信サービスの優先度を識別する優先度識別子、該通信サービスを優先する確率を示す優先確率、該通信サービスにおける最大伝送速度、或いは、該通信サービスにおける最低保証速度の少なくとも１つが用いられてもよい。
【００３７】
本発明の第２の特徴において、前記提供サービス通知部は、Ａｔｔａｃｈ手順、位置登録情報更新手順或いはページング手順の少なくとも１つにおいて、前記各無線アクセス方式と前記通信サービス及び該通信サービスの優先度の少なくとも一方との関係を通知するように構成されていてもよい。
【００３８】
本発明の第３の特徴は、複数の無線アクセス方式が存在する移動通信システムで用いられる無線基地局であって、各無線アクセス方式において提供されている通信サービス及び該通信サービスの優先度の少なくとも一方を管理するように構成されている提供サービス管理部と、前記提供サービス管理部によって管理されている前記各無線アクセス方式と前記通信サービス及び該通信サービスの優先度の少なくとも一方との関係を、移動局に対して通知するように構成されている提供サービス通知部とを具備することを要旨とする。
【００３９】
本発明の第３の特徴において、前記通信サービスは、該通信サービスを識別するサービス識別子、該通信サービス用の接続先アドレス、該通信サービスのサービス品質情報、該通信サービスの優先度クラスを示すラベル、或いは、該通信サービス用のベアラを識別するベアラ識別子のいずれかによって特定されてもよい。
【００４０】
本発明の第３の特徴において、前記通信サービスの優先度として、該通信サービスの優先度を識別する優先度識別子、該通信サービスを優先する確率を示す優先確率、該通信サービスにおける最大伝送速度、或いは、該通信サービスにおける最低保証速度の少なくとも１つが用いられてもよい。
【００４１】
本発明の第３の特徴において、前記提供サービス通知部は、報知情報通知手順、接続手順或いは解放手順及びは該通信サービスの優先度の少なくとも一方との関係を通知するように構成されていてもよい。
【００４２】
本発明の第４の特徴は、複数の無線アクセス方式が存在する移動通信システムで用いられる移動局であって、ネットワークノードから、各無線アクセス方式において提供されている通信サービス及び該通信サービスの優先度の少なくとも一方を受信して保存するように構成されている提供サービス保存部と、前記提供サービス保存部によって保存されている前記各無線アクセス方式において提供されている通信サービス及び該通信サービスの優先度の少なくとも一方に基づいて、接続手順を開始するセルを決定するように構成されているセル選択実施部と、前記セル選択実施部によって決定された前記セルとの間で接続手順を開始するように構成されている接続手順実施部とを具備することを要旨とする。
【００４３】
本発明の第４の特徴において、前記通信サービスは、該通信サービスを識別するサービス識別子、該通信サービス用の接続先アドレス、該通信サービスのサービス品質情報、該通信サービスの優先度クラスを示すラベル、或いは、該通信サービス用のベアラを識別するベアラ識別子のいずれかによって特定されてもよい。
【００４４】
本発明の第４の特徴において、前記通信サービスの優先度として、該通信サービスの優先度を識別する優先度識別子、該通信サービスを優先する確率を示す優先確率、該通信サービスにおける最大伝送速度、或いは、該通信サービスにおける最低保証速度の少なくとも１つが用いられてもよい。
【００４５】
本発明の第４の特徴において、前記提供サービス保存部は、Ａｔｔａｃｈ手順、位置登録情報更新手順或いはページング手順の少なくとも１つにおいて、前記各無線アクセス方式と前記通信サービス及び該通信サービスの優先度の少なくとも一方との関係を受信して保存するように構成されていてもよい。
【００４６】
本発明の第５の特徴は、複数の無線アクセス方式が存在する移動通信システムにおける移動通信方法であって、ネットワークノードが、移動局に対して、待ち受け対象の無線アクセス方式において提供されている通信サービスを通知する工程と、前記移動局が、前記ネットワークノードによって通知された前記待ち受け対象の無線アクセス方式において提供されている通信サービスを保存する工程と、前記移動局が、保存している前記待ち受け対象の無線アクセス方式において提供されている通信サービスに基づいて、接続手順を開始する工程とを有することを要旨とする。
【００４７】
本発明の第６の特徴は、複数の無線アクセス方式が存在する移動通信システムで用いられる移動交換局であって、各無線アクセス方式において提供されている通信サービスを管理するように構成されている提供サービス管理部と、移動局に対して、前記提供サービス管理部によって管理されている該移動局の待ち受け対象の無線アクセス方式を通知するように構成されている提供サービス通知部とを具備することを要旨とする。
【００４８】
本発明の第６の特徴において、前記提供サービス通知部は、Ａｔｔａｃｈ手順、位置登録情報更新手順或いはページング手順の少なくとも１つにおいて、前記移動局に対して、該移動局の待ち受け対象の無線アクセス方式を通知するように構成されていてもよい。
【００４９】
本発明の第７の特徴は、複数の無線アクセス方式が存在する移動通信システムで用いられる移動局であって、ネットワークノードから通知された、前記移動局の待ち受け対象の無線アクセス方式において提供されている通信サービスを保存するように構成されている提供サービス保存部と、前記提供サービス保存部によって保存されている前記移動局の待ち受け対象の無線アクセス方式において提供されている通信サービスに基づいて、接続手順を開始するように構成されている接続手順実施部とを具備することを要旨とする。
【００５０】
本発明の第７の特徴において、前記提供サービス保存部は、Ａｔｔａｃｈ手順、位置登録情報更新手順或いはページング手順の少なくとも１つにおいて通知された、前記移動局の待ち受け対象の無線アクセス方式において提供されている通信サービス保存するように構成されていてもよい。
【発明の効果】
【００５１】
以上説明したように、本発明に係る移動通信方法、移動交換局、無線基地局及び移動局は、移動局が要求する通信サービスに基づいて、当該通信サービスの提供に適切なＲＡＴのセルを自律的に選択することで、各ネットワークノードの処理負荷を軽減し、また、ユーザが発信操作を行ってからＵ-ｐｌａｎｅ導通までの接続時間を低減することができるため、有用である。
【図面の簡単な説明】
【００５２】
【図１】本発明の第１の実施形態に係る移動通信システムの全体構成図である。
【図２】本発明の第１の実施形態に係る移動交換局の機能ブロック図である。
【図３】本発明の第１の実施形態に係る移動交換局の提供サービス管理部によって管理されているテーブルの一例を示す図である。
【図４】本発明の第１の実施形態に係る無線基地局の機能ブロック図である。
【図５】本発明の第１の実施形態に係る移動局の機能ブロック図である。
【図６】本発明の第１の実施形態に係る移動局の動作を示すフローチャートである。
【図７】従来の移動通信システムにおけるＩｎｔｅｒ-ＲＡＴハンドオーバ手順を示すシーケンス図である。
【発明を実施するための形態】
【００５３】
（本発明の第１の実施形態に係る移動通信システムの構成）
図１乃至図５を参照して、本発明の第１の実施形態に係る移動通信システムの構成について説明する。本実施形態では、移動通信システムとして、ＬＴＥ方式の移動通信システムを例として説明するが、本発明は、ＬＴＥ方式の移動通信システム以外の移動通信システムにも適用可能である。
【００５４】
図１を参照して、本発明の第１の実施形態に係る移動通信システムの構成について説明する。なお、本実施形態を説明するための全図において、同一機能を有するものに対しては同一符号を付与し、繰り返しの説明は省略する。
【００５５】
図１に示すように、本実施形態に係る移動通信システムは、移動局１００と、複数の無線基地局２００Ａ、２００Ｂ及び２００Ｃと、移動交換局３００とを具備している。
【００５６】
例えば、移動局１００は、電源が投入されると、移動交換局３００との間で、無線基地局２００Ａを介して、Ａｔｔａｃｈ手順を行うように構成されている。
【００５７】
そして、Ａｔｔａｃｈ手順が終了した移動局１００は、位置登録エリアを超えた場合に、位置登録情報更新手順を行うように構成されている。
【００５８】
また、移動局１００宛てに着信があった場合は、移動交換局３００は、ページング手順を起動して、位置登録エリア内の無線基地局２００Ａ、２００Ｂ及び２００Ｃを介して、ページングメッセージを送信するように構成されている。
【００５９】
無線基地局２００Ａは、移動局１００に対して、報知情報の送信を行うように構成されている。
【００６０】
また、無線基地局２００Ａ及び移動交換局３００との間で通信を行っていた移動局１００は、かかる通信が終了すると、無線基地局２００Ａとの間で、解放手順を行うように構成されている。
【００６１】
図２に示すように、本実施形態に係る移動交換局３００は、信号送受信部３１０と、信号送受信部３１０に接続された提供通信サービス通知部３２０と、提供通信サービス通知部３２０に接続された提供通信サービス管理部３３０とを備える。
【００６２】
信号送受信部３１０は、移動局１００と当該移動交換局３００との間の信号の送受信処理、及び、無線基地局２００と当該移動交換局３００との間の信号の送受信処理を行うように構成されている。
【００６３】
提供通信サービス通知部３２０は、提供通信サービス管理部３３０によって管理されている各無線アクセス方式と通信サービス及び当該通信サービスの優先度の少なくとも一方との関係を、移動局１００に対して通知するように構成されている。
【００６４】
例えば、提供通信サービス通知部３２０は、Ａｔｔａｃｈ手順、位置登録情報更新手順或いはページング手順の少なくとも１つにおいて、かかる各無線アクセス方式と通信サービス及び当該通信サービスの優先度の少なくとも一方との関係を通知するように構成されていてもよい。
【００６５】
ここで、提供通信サービス通知部３２０は、ページング手順において、上述の関係を通知する場合、通常のページングメッセージで通知する移動局識別子（例えば、ＴＭＳＩ：Ｔｅｍｐｏｒａｒｙ  Ｍｏｂｉｌｅ  Ｓｕｂｓｃｒｉｂｅｒ  Ｉｄｅｎｔｉｆｉｅｒ）や着信サービス通知情報（例えば、Ｐａｇｉｎｇ  Ｃａｕｓｅ）以外に、かかる着信サービスを提供しているＲＡＴを通知するように構成されていてもよい。
【００６６】
また、かかる通信サービスは、当該通信サービスを識別するサービス識別子、当該通信サービス用の接続先アドレス、当該通信サービスのサービス品質情報（ＱｏＳ：Ｑｕａｌｉｔｙ  ｏｆ  Ｓｅｒｖｉｃｅ）、当該通信サービスの優先度クラスを示すラベル、或いは、当該通信サービス用のベアラを識別するベアラ識別子のいずれかによって特定されてもよい。
【００６７】
すなわち、提供通信サービス通知部３２０は、当該通信サービスを識別するサービス識別子、当該通信サービス用の接続先アドレス、当該通信サービスのサービス品質情報、当該通信サービスの優先度クラスを示すラベル、或いは、当該通信サービス用のベアラを識別するベアラ識別子のいずれかを用いて、各無線アクセス方式で提供されている通信サービスを通知するように構成されていてもよい。
【００６８】
また、通信サービスの優先度として、当該通信サービスの優先度を識別する優先度識別子、当該通信サービスを優先する確率を示す優先確率、当該通信サービスにおける最大伝送速度、或いは、当該通信サービスにおける最低保証速度の少なくとも１つが用いられてもよい。
【００６９】
提供通信サービス管理部３３０は、各無線アクセス方式において提供されている通信サービス及び該通信サービスの優先度の少なくとも一方を管理するように構成されている。
【００７０】
例えば、提供通信サービス管理部３３０は、図３（ａ）に示すように、各無線アクセス方式に関して、「通信サービス」と「提供有無（各無線アクセス方式における各通信サービスを提供しているか否かについて示す）」と「サービス識別子」と「接続先アドレス」と「ＱｏＳ」と「ベアラ識別子」と「ラベル」との対応関係を管理するように構成されている。
【００７１】
なお、提供通信サービス管理部３３０は、各無線アクセス方式に関して、「サービス識別子」、「接続先アドレス」、「ＱｏＳ」、「ベアラ識別子」及び「ラベル」のうちの少なくとも１つを管理するように構成されていればよい。
【００７２】
ここで、「通信サービス」において例示されている「位置情報」は、移動局１００の位置情報を通知するサービス、具体的には、目的地までのナビゲーションサービス等を示す。
【００７３】
また、提供通信サービス管理部３３０は、図３（ｂ）に示すように、各無線アクセス方式に関して、「通信サービス」と「優先度識別子」と「優先確率」と「最大伝送速度」と「最低保証速度」との対応関係を管理するように構成されている。
【００７４】
なお、提供通信サービス管理部３３０は、各無線アクセス方式に関して、「優先度識別子」と「優先確率」と「最大伝送速度」及び「最低保証速度」のうちの少なくとも１つを管理するように構成されていればよい。
【００７５】
図４に示すように、本実施形態に係る無線基地局２００は、信号送受信部２１０と、信号送受信部２１０に接続された提供サービス通知部２２０と、提供サービス通知部２２０に接続された提供サービス管理部２３０とを備える。
【００７６】
信号送受信部２１０は、移動局１００と当該無線基地局２００との間の信号の送受信処理、及び、移動交換局３００と当該無線基地局２００との間の信号の送受信処理を行うように構成されている。
【００７７】
提供サービス通知部２２０は、提供サービス管理部２３０によって管理されている各無線アクセス方式と通信サービス及び当該通信サービスの優先度の少なくとも一方との関係を、移動局１００に対して通知するように構成されている。
【００７８】
提供サービス通知部２２０は、報知情報通知手順、接続手順或いは解放手順の少なくとも１つにおいて、各無線アクセス方式と通信サービス及び当該通信サービスの優先度の少なくとも一方との関係を通知するように構成されていてもよい。
【００７９】
また、かかる通信サービスは、当該通信サービスを識別するサービス識別子、当該通信サービス用の接続先アドレス、当該通信サービスのサービス品質情報、当該通信サービスの優先度クラスを示すラベル、或いは、当該通信サービス用のベアラを識別するベアラ識別子のいずれかによって特定されてもよい。
【００８０】
すなわち、提供サービス通知部２２０は、当該通信サービスを識別するサービス識別子、当該通信サービス用の接続先アドレス、当該通信サービスのサービス品質情報、当該通信サービスの優先度クラスを示すラベル、或いは、当該通信サービス用のベアラを識別するベアラ識別子のいずれかを用いて、各無線アクセス方式で提供されている通信サービスを通知するように構成されていてもよい。
【００８１】
また、通信サービスの優先度として、当該通信サービスの優先度を識別する優先度識別子、当該通信サービスを優先する確率を示す優先確率、当該通信サービスにおける最大伝送速度、或いは、当該通信サービスにおける最低保証速度の少なくとも１つが用いられてもよい。
【００８２】
提供サービス管理部２３０は、各無線アクセス方式において提供されている通信サービス及び該通信サービスの優先度の少なくとも一方を管理するように構成されている。
【００８３】
例えば、提供サービス管理部２３０は、図３（ａ）に示すように、各無線アクセス方式に関して、「通信サービス」と「提供有無（各無線アクセス方式における各通信サービスを提供しているか否かについて示す）」と「サービス識別子」と「接続先アドレス」と「ＱｏＳ」と「ベアラ識別子」と「ラベル」との対応関係を管理するように構成されている。
【００８４】
なお、提供サービス管理部２３０は、各無線アクセス方式に関して、「サービス識別子」、「接続先アドレス」、「ＱｏＳ」、「ベアラ識別子」及び「ラベル」のうちの少なくとも１つを管理するように構成されていればよい。
【００８５】
また、提供サービス管理部２３０は、図３（ｂ）に示すように、各無線アクセス方式に関して、「通信サービス」と「優先度識別子」と「優先確率」と「最大伝送速度」と「最低保証速度」との対応関係を管理するように構成されている。
【００８６】
なお、提供サービス管理部２３０は、各無線アクセス方式に関して、「優先度識別子」と「優先確率」と「最大伝送速度」及び「最低保証速度」のうちの少なくとも１つを管理するように構成されていればよい。
【００８７】
図５に示すように、本実施形態に係る移動局１００は、信号送受信部１１０と、信号送受信部１１０に接続された提供サービス保存部１２０と、提供サービス保存部１２０及び信号送受信部１１０に接続されたサービス起動部１３０と、サービス起動部１３０にと接続されたセル選択実施部１４０とを備える。
【００８８】
信号送受信部１１０は、無線基地局２００との間の信号の送受信処理、及び、移動交換局３００との間の信号の送受信処理を行うように構成されている。
【００８９】
例えば、信号送受信部１１０は、移動局１００に電源が投入された場合のＡｔｔａｃｈ手順に係る信号の送受信処理を行ったり、位置登録情報更新手順やページング手順や報知情報受信手順、接続手順や解放手順に係る信号の送受信処理を行ったりする。
【００９０】
提供サービス保存部１２０は、ネットワークノード（移動交換局３００や無線基地局２００等）から、各無線アクセス方式において提供されている通信サービス及び当該通信サービスの優先度の少なくとも一方を受信して保存するように構成されている。
【００９１】
例えば、提供サービス保存部１２０は、Ａｔｔａｃｈ手順、位置登録情報更新手順或いはページング手順の少なくとも１つにおいて、各無線アクセス方式と通信サービス及び当該通信サービスの優先度の少なくとも一方との関係を受信して保存するように構成されていてもよい。
【００９２】
また、提供サービス保存部１２０は、各無線アクセス方式において提供されている通信サービスとして、「接続先アドレス」、「ＱｏＳ」、「ベアラ識別子」及び「ラベル」が、ネットワークノードから通知された場合、それらを、「サービス識別子」に置き換えて保存するように構成されていてもよい。
【００９３】
また、提供サービス保存部１２０に保存される「各無線アクセス方式において提供される通信サービスを示す情報」は、報知情報で通知される各無線アクセス方式に関連する情報（各無線アクセス方式で用いられる周波数等）と共に保存されてもよい。
【００９４】
また、例えば、提供サービス保存部１２０は、Ａｔｔａｃｈ手順において、ＬＴＥ方式のネットワークノードから、Ｃｏｍｂｉｎｅｄ  Ａｔｔａｃｈ処理が行われた旨の応答信号を受信した場合には、ＬＴＥ方式ではＣＳサービスが提供されていないものとして、ＬＴＥ方式において提供されている通信サービスを保存するように構成されていてもよい。
【００９５】
一方、提供サービス保存部１２０は、Ａｔｔａｃｈ手順において、ＬＴＥ方式のネットワークノードから、通常のＡｔｔａｃｈ処理が行われた旨の応答信号を受信した場合には、ＬＴＥ方式では提供サービスの制約がないものとして、ＬＴＥ方式において提供されている通信サービスを保存するように構成されていてもよい。
【００９６】
サービス起動部１３０は、音声通信やＴＶ電話等の通信サービスを利用するためのアプリケーションを起動するように構成されている。
【００９７】
セル選択実施部１４０は、提供サービス保存部１２０によって保存されている各無線アクセス方式において提供されている通信サービス又は当該通信サービスの優先度に基づいて、接続手順を開始するセルを決定するように構成されている。
【００９８】
例えば、セル選択実施部１４０は、サービス起動部１３０によって起動されたアプリケーションによって利用可能な通信サービスが提供されている無線アクセス方式に属するセルを検出し、当該セルを再選択するように構成されている。
【００９９】
一方、各無線アクセス方式において提供されている通信サービスの優先度も通知されている場合は、セル選択実施部１４０は、かかる通信サービスの優先度も考慮して、セルを再選択するように構成されている。
【０１００】
上述のアプリケーションは、セル選択実施部１４０によって決定されたセルとの間で接続手順を開始するように構成されている。
【０１０１】
（本発明の第１の実施形態に係る移動通信システムの動作）
図６を参照して、本発明の第１の実施形態に係る移動通信システム、具体的には、移動局の動作について説明する。本実施形態では、ネットワークノード（移動交換局３００又は無線基地局２００）が、移動局１００に対して、各無線アクセス方式において提供されている通信サービスのみを提供する場合の例について説明する。
【０１０２】
図６に示すように、ステップＳ１０１において、移動局１００は、所望の通信サービス用アプリケーションが起動されたか否かについて判断する。
【０１０３】
ここで、所望の通信サービス用アプリケーションは、ユーザの発信操作によって起動される場合もあるし、ページングメッセージが着信したことで起動される場合もある。
【０１０４】
ステップＳ１０１において、所望の通信サービス用アプリケーションが起動されていない場合は、本動作は、ＳＴＡＲＴに戻る。
【０１０５】
ステップＳ１０１において、所望の通信サービス用アプリケーションが起動されている場合は、ステップＳ１０２において、移動局１００は、現在待ち受けを行っている無線アクセス方式において当該所望の通信サービスが提供されているか否かについて判断する。
【０１０６】
現在待ち受けを行っている無線アクセス方式において当該所望の通信サービスが提供されていると判断された場合には、ステップＳ１０３において、移動局１００は、現在待ち受けを行っている無線アクセス方式のセルとの間で接続手順を実施する、すなわち、現在待ち受けを行っている無線アクセス方式のセルに対して接続要求信号（ＲＲＣ  Ｃｏｎｎｅｃｔｉｏｎ  Ｒｅｑｕｅｓｔ）を送信する。
【０１０７】
現在待ち受けを行っている無線アクセス方式において当該所望の通信サービスが提供されていないと判断された場合には、ステップＳ１０４において、移動局１００は、当該所望の通信サービスが提供されているＲＡＴに属するセルの検出を行う。
【０１０８】
ステップＳ１０５において、移動局１００は、当該所望の通信サービスが提供されているＲＡＴに属するセルの再選択を行うことができるか否かについて判断する。
【０１０９】
ここで、当該セルの再選択を行うことができると判断された場合には、ステップＳ１０３において、移動局１００は、再セル選択した当該所望の通信サービスが提供されている無線アクセス方式のセルとの間で接続手順を実施する。
【０１１０】
一方、当該セルの再選択を行うことができないと判断された場合には、本動作は、ステップＳ１０４に戻る。
【０１１１】
（本発明の第１の実施形態に係る移動通信システムの作用・効果）
本実施形態に係る移動通信システムによれば、移動局１００が要求する通信サービスに基づいて、当該通信サービスの提供に適切なＲＡＴのセルを自律的に選択するため、従来行っていたＩｎｔｅｒ-ＲＡＴハンドオーバが不要となり、各ネットワークノードの処理負荷を軽減し、また、ユーザが発信操作を行ってからＵ-ｐｌａｎｅ導通までの接続時間を低減することができる
（変更例１）
本発明の変更例１では、ネットワークノード（移動交換局３００又は無線基地局２００）が、移動局１００に対して、各無線アクセス方式において提供されている通信サービス及び当該通信サービスの優先度を提供するように構成されている。
【０１１２】
図６を参照して、本変更例１に係る移動通信システム、具体的には、移動局の動作について説明する。以下、かかる動作について、上述の第１の実施形態に係る移動通信システムの動作との相違点について主として説明する。
【０１１３】
図６に示すように、ステップＳ１０２において、移動局１００は、現在待ち受けを行っている無線アクセス方式において当該所望の通信サービスが提供されているか否かについて判断する。
【０１１４】
現在待ち受けを行っている無線アクセス方式において当該所望の通信サービスが提供されていると判断された場合で、かつ、当該無線アクセス方式における当該所望の通信サービス（例えば、音声通信）の優先度が、他の全ての無線アクセス方式における当該所望の通信サービス（例えば、音声通信）の優先度よりも高い場合に、本動作は、ステップＳ１０３に進む。
【０１１５】
それ以外の場合、ステップＳ１０４において、移動局１００は、当該所望の通信サービスが提供されているＲＡＴの中から、当該所望の通信サービス（例えば、音声通信）の優先度が最も高い無線アクセス方式を選択し、かかる無線アクセス方式に属するセルの検出を行う。
【０１１６】
（変更例２）
本発明の変更例２では、ネットワークノード（移動交換局３００又は無線基地局２００）が、移動局１００に対して、各無線アクセス方式において提供されている通信サービスの優先度のみを提供するように構成されている。
【０１１７】
図６を参照して、本変更例２に係る移動通信システム、具体的には、移動局の動作について説明する。以下、かかる動作について、上述の第１の実施形態に係る移動通信システムの動作との相違点について主として説明する。
【０１１８】
図６に示すように、ステップＳ１０２において、移動局１００は、当該所望の通信サービスによって要求されるＱｏＳが、現在待ち受けを行っている無線アクセス方式における当該所望の通信サービスの優先度（例えば、優先確率や最大伝送速度や最低保証速度等）を満たすと判断された場合に、本動作は、ステップＳ１０３に進む。
【０１１９】
それ以外の場合、ステップＳ１０４において、移動局１００は、当該所望の通信サービスが提供されているＲＡＴの中から、当該所望の通信サービス（例えば、音声通信）によって要求されるＱｏＳを満たす無線アクセス方式を選択し、かかる無線アクセス方式に属するセルの検出を行う。
【０１２０】
なお、上述の移動局１００及び無線基地局２００の動作は、ハードウェアによって実施されてもよいし、プロセッサによって実行されるソフトウェアモジュールによって実施されてもよいし、両者の組み合わせによって実施されてもよい。
【０１２１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１２２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ及び無線基地局ｅＮＢ内に設けられていてもよい。また、かかる記憶媒体及びプロセッサは、ディスクリートコンポーネントとして移動局ＵＥ及び無線基地局ｅＮＢ内に設けられていてもよい。
【０１２３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１２４】
１００…移動局
１１０、２１０、３１０…信号送受信部
１２０…提供サービス保存部
１３０…サービス起動部
１４０…セル選択実施部
２００、２００Ａ、２００Ｂ、２００Ｃ…無線基地局
２２０…提供サービス通知部
２３０…提供サービス管理部
３００…移動交換局
３２０…提供通信サービス通知部
３３０…提供通信サービス管理部
【図１】
2011066945.tif 000003
【図２】
2011066945.tif 000004
【図３】
2011066945.tif 000005
【図４】
2011066945.tif 000006
【図５】
2011066945.tif 000007
【図６】
2011066945.tif 000008
【図７】
2011066945.tif 000009